(57)【特許請求の範囲】
【請求項１】
遊技盤を保持する遊技盤保持枠と、
前記遊技盤保持枠に固定部材により固定して取り付けられると共に、前記遊技盤に設けられた遊技領域に向けて遊技球を発射する発射装置と、
を備えた遊技機において、
前記発射装置は、
該発射装置を駆動する駆動手段が組みつけられる組み付け部材を有し、
前記組み付け部材は、
前記発射装置の装着方向に向かって第１の角度で下り傾斜した形状を有し、該発射装置の前記遊技盤保持枠への装着を誘導する係合誘導部と、
前記装着方向に向かって第２の角度で上り傾斜した形状を有し、該発射装置の前記遊技盤保持枠からの取り外しを誘導する解除誘導部と、
が一体的に形成された係止手段を備え、
前記発射装置の着脱方向は、前記装着方向と逆方向であり、
前記係止手段が前記遊技盤保持枠に係止することにより、前記発射装置が該遊技盤保持枠に仮止めされた状態となることを特徴とする遊技機。
【発明の詳細な説明】
【技術分野】
【０００１】
本発明は、遊技機に取り付け可能な発射装置を有する遊技機に関する。
【背景技術】
【０００２】
従来、特許文献１に示すように、パチンコ機に代表される弾球式遊技機において、遊技球を発射する発射装置は、遊技機の内枠に位置決めされて取り付けられるようになっている。具体的には、発射装置側のケーブルを遊技機側のコネクタに接続して、電気的な接続を確保した後に、発射装置本体を遊技機側にビス等の固定部材により取り付け、固定する。
【先行技術文献】
【特許文献】
【０００３】
【特許文献１】特開２００１−１６１９１３号公報
【発明の概要】
【発明が解決しようとする課題】
【０００４】
しかしながら、上記特許文献１に示すように、発射装置を遊技機側（内枠など）に取り付ける際には、この発射装置の取り付け位置がずれてしまうことを防ぐために、少なくとも以下のような手順を要する。
（手順１）発射装置を遊技機側に取り付ける位置を決める（位置決め）。
（手順２）上記位置決めしたものがずれないようにビス等で仮に固定する（仮止め）。
（手順３）仮止めした箇所のビス等を固定する（本止め）。
発射装置の取り付けについては、上記（手順１）〜（手順３）を必要とするため、発射装置を遊技機側に取り付ける際の作業時間を短縮しようとしても限界がある。
【０００５】
本発明は、上記事情に鑑み、発射装置を遊技機側に取り付ける際の作業時間の短縮を図ることのできる遊技機を提供することを目的とする。
【課題を解決するための手段】
【０００６】
このような課題を解決するために本発明に係る遊技機は、遊技盤を保持する遊技盤保持枠と、前記遊技盤保持枠に固定部材により固定して取り付けられると共に、前記遊技盤に設けられた遊技領域に向けて遊技球を発射する発射装置と、を備えた遊技機において、前記発射装置は、該発射装置を駆動する駆動手段が組みつけられる組み付け部材を有し、前記組み付け部材は、前記発射装置の装着方向に向かって第１の角度で下り傾斜した形状を有し、該発射装置の前記遊技盤保持枠への装着を誘導する係合誘導部と、前記装着方向に向かって第２の角度で上り傾斜した形状を有し、該発射装置の前記遊技盤保持枠からの取り外しを誘導する解除誘導部と、が一体的に形成された係止手段を備え、前記発射装置の着脱方向は、前記装着方向と逆方向であり、前記係止手段が前記遊技盤保持枠に係止することにより、前記発射装置が該遊技盤保持枠に仮止めされた状態となることを特徴とする。
【発明の効果】
【００１３】
本発明によれば、発射装置の遊技機側への取り付け、取り外しの作業時間を短縮することができる。
【図面の簡単な説明】
【００１４】
【図１】本発明の一実施形態に係る遊技機１の斜視図である。
【図２】遊技機１の透過部材保持枠の開放状態を示す斜視図である。
【図３】発射装置２００の斜視図である。
【図４】発射装置２００の分解斜視図である。
【図５】発射装置２００を遊技盤保持枠６に装着するときの様子を説明する図である。
【図６】発射装置２００を遊技盤保持枠６に装着した状態における断面図である。
【図７】着脱片２７０（係止部２７１）及び固定片４０１について説明する図である。
【図８】発射装置２００を遊技盤保持枠６に装着／装脱するときの着脱片２７０（係止部２７１）及び固定片４０１について説明する図である。
【発明を実施するための形態】
【００１５】
以下、本発明の実施形態について図面を参照しながら具体的に説明する。
図１は、本発明の一実施形態である遊技機１の斜視図、図２は、遊技機１の透過部材保持枠の開放状態を示す斜視図である。
図１及び図２に示すように、遊技機１は、支持体２と、この支持体２に回転可能に枢支された扉体３とを備えている。支持体２は、上板２ａ、下板２ｂ、側板２ｃ，２ｄによって四辺を構成する枠体からなる。各板２ａ〜２ｄは、変形や歪みが生じにくい木材等を材質とするもので、略長方形状に囲繞空間が形成されるように連結金具によって連結されている。
そして、これら連結金具のうち、上板２ａと側板２ｃとを連結する金具および側板２ｃと下板２ｂとを連結する金具には、一対のヒンジ４ａ，４ｂが、遊技機１の前面側に突出した位置で対面するように固定されている。
【００１６】
そして、一対のヒンジ４ａ，４ｂには、扉体３が回転可能に枢支されている。扉体３は、支持体２に対して開閉可能となるものであり、本実施形態においては、透過部材保持枠５と遊技盤保持枠６とによって扉体３が構成されている。なお、図２は、支持体２に対して透過部材保持枠５が開放され、遊技盤保持枠６が支持体２に対して閉じられた状態を示している。これら透過部材保持枠５および遊技盤保持枠６は、その背面の一部または全部を支持体２の前面に接触させ、支持体２、透過部材保持枠５および遊技盤保持枠６が略平行となる閉位置から、上記背面が支持体２の前面から離間した開位置まで回転する。
【００１７】
透過部材保持枠５は、支持体２と同様に、上辺５ａ、下辺５ｂ、側辺５ｃ，５ｄからなる四辺によって略長方形状の囲繞空間が形成される枠体からなり、遊技盤１７の前面を覆う透過部材７が囲繞空間に固定される。本実施形態においては、透明のガラス板によって透過部材７を構成しているが、この透過部材７を介して後述する遊技盤１７が見えるものであれば、その材質や形状は特に問わず、例えば合成樹脂等によって構成してもよい。また、透過部材保持枠５の材質も特に問わないが、軽量化や装飾性の向上の目的から合成樹脂性とすることが望ましく、特にこの場合には補強金具８を固定して歪みや変形を防止するとよい。
【００１８】
なお、図１に示すように、遊技機１の前面すなわち透過部材保持枠５の前面には、装飾ランプ９，１３，１４、遊技球を発射するための操作ハンドル１０、払い出された賞球を溜める上皿１１、装飾部材１２が固定されている。また装飾部材１２は内部に設けられたスピーカ部２１を完全に覆う形で固定されているが、この装飾部材１２は、スピーカからの音を遊技機外部に放出する放音穴は有していない。すなわち、スピーカ部２１はこの装飾部材１２により完全に覆われるため、該スピーカ部２１が遊技機外部から視認することは不可能となっている。
図１および図２からも明らかなように、透過部材保持枠５の上辺５ａおよび下辺５ｂは、支持体２の上板２ａおよび下板２ｂと長さを等しくしており、透過部材保持枠５を閉じて、支持体２および透過部材保持枠５が略平行になったとき（透過部材保持枠５が閉位置にあるとき）に、上辺５ａが上板２ａに、側辺５ｃ，５ｄが側板２ｃ，２ｄに、それらの外周面が面一の状態で重なる。したがって、遊技機１を正面から見たときに、支持体２の上板２ａおよび側板２ｃ，２ｄは、透過部材保持枠５に覆われて見えなくなる。ただし、側辺５ｃ，５ｄは、側板２ｃ，２ｄよりも短く形成されており、支持体２の下板２ｂが遊技機１の正面側に露出する。支持体２の下板２ｂは、上板２ａや側板２ｃ，２ｄに比べて厚く形成されており、その正面側に装飾部材１５が固定されている。
【００１９】
そして、透過部材保持枠５には、側辺５ｃの上方に突出する枢支軸１６ａ、および側辺５ｃの下方に突出する枢支軸１６ｂが固定されており、枢支軸１６ａがヒンジ４ａに、枢支軸１６ｂがヒンジ４ｂに回転可能に枢支されている。これにより、透過部材保持枠５が支持体２に対して開閉可能に支持されることとなる。なお、透過部材保持枠５を支持体２に回転可能に枢支する構造は上記に限らず、例えば、透過部材保持枠５の側辺５ｃの一部を凸状に形成し、この凸状部分をヒンジ４ａ，４ｂや支持体２に直接嵌合させて枢支するようにしてもよい。
【００２０】
また、ヒンジ４ａ，４ｂには、透過部材保持枠５と同様に、遊技盤保持枠６が回転可能に枢支されている。図２に示すように、遊技盤保持枠６は、上辺６ａ、下辺６ｂ、左側辺６ｃ，右側辺６ｄからなる四辺によって略長方形状の囲繞空間が形成される枠体からなり、遊技盤保持枠６の左側辺６ｃには遊技盤止め具６０ａ，６０ｂが設けられており、上辺６ａおよび下辺６ｂのそれぞれ右側辺６ｄ寄りには遊技盤固定具６０ｃ，６０ｄが設けられている。そして、遊技盤止め具６０ａ，６０ｂ、及び遊技盤固定具６０ｃ，６０ｄにより、この囲繞空間に遊技盤１７が固定される。
【００２１】
遊技盤１７の前面には、複数の釘や風車、遊技球が入球可能な各種の入賞口、演出用の役物等（図示せず）が設けられており、その略中央部分に形成された孔に演出用の液晶表示装置１８が固定されている。透過部材保持枠５および遊技盤保持枠６が閉じられて遊技が可能な状態では、遊技盤１７に所定の間隔を維持して略平行に透過部材７が対面するとともに、遊技盤１７の前面が透過部材７によって覆われる。
【００２２】
透過部材保持枠５の下部位置には操作ハンドル１０が回動可能に設けられている。遊技者が操作ハンドル１０に触れると、操作ハンドル１０内にあるタッチセンサ（図示せず）が、操作ハンドル１０に遊技者が触れたことを検知し、発射制御基板（図示せず）にタッチ信号を送信する。発射制御基板は、タッチセンサからタッチ信号を受信すると、発射用ソレノイド（図示せず）の通電を許可する。そして、操作ハンドル１０の回転角度を変化させると、操作ハンドル１０に直結しているギアが回転し、ギアに連結した発射ボリュームのつまみが回転する。この発射ボリュームの検出角度に応じた電圧が、遊技球発射機構に設けられた発射用ソレノイドに印加される。そして、発射用ソレノイドに電圧が印加されると、発射用ソレノイドが印加電圧に応じて作動するとともに、操作ハンドル１０の回動角度に応じた強さで、遊技盤１７内に設けられた遊技領域に向けて遊技球が発射される。遊技領域に向けて発射された遊技球は遊技領域内に設けられた釘や風車等に衝突しながら遊技領域の下方に向かって転動していく。このとき、遊技領域内を転動した遊技球が入賞口に入球すると大当たり抽選が行われる。そして、この大当たり抽選に当選すると大当たり遊技が実行され、賞球として大量の遊技球が払い出される。また、遊技領域内を転動した遊技球がいずれの入賞口にも入球しなかったときには、遊技領域の下部に設けられた排出口から排出される。このように、遊技機１における遊技が進行していくことになる。
【００２３】
なお、遊技機１としては、上記したように賞球として遊技球を実際に払い出すタイプの遊技機、具体的には、払出制御基板を設けて遊技球を賞球（遊技価値）として付与する形態に限られない。例えば、封入式遊技機や循環式遊技機のように、払出制御基板を設けない構成としてもよい。この場合には、払出制御基板に代えて遊技媒体を数量化された電子データにて管理する遊技価値管理基板を設ける形態とする。これにより、遊技媒体及び賞球（遊技価値）の出し入れの管理を電子データにより簡便に行うことが可能となる。
【００２４】
なお、本実施形態においては、操作ハンドルの左斜め上方に遊技者が押圧操作可能なチャンスボタン３７及び十字ボタン３８が設けられている。このチャンスボタン３７及び十字ボタン３８は、例えば、上記液晶表示装置１８に当該チャンスボタン３７及び十字ボタン３８の操作を促すメッセージが表示されたときに操作すると、各種演出を発展させる契機となったり、遊技方法のガイダンスを表示させたりすることが可能となっている。
【００２５】
また、遊技盤保持枠６において、遊技盤１７の固定位置の下方には、音声出力装置１９（低音スピーカ等で構成される）や、操作ハンドル１０の操作に応じて遊技領域に遊技球を発射する発射装置２００、及び発射装置２００から発射された遊技球を遊技盤１７内に設けられたレール２１ａ，２１ｂに向けて誘導する誘導レール２２等が固定されている。また、遊技盤１７の背面には遊技の進行を制御するさまざまな制御基板が固定されている。
【００２６】
次に、発射装置２００について説明する。図３（ａ）は、発射装置２００をカバー２５３（後述する）側から見た斜視図であり、図３（ｂ）は、発射装置２００を蓋２４０（後述する）側から見た斜視図である。また、図４は、図３に示す発射装置２００の分解斜視図である。
なお、発射装置２００における蓋２４０及びカバー２５３が、本発明の組み付け部材を構成し、ロータ２０５その他（つまり、蓋２４０及びカバー２５３以外）が、本発明の駆動手段を構成する。
【００２７】
図３及び図４に示すように、発射装置２００は、ロータ軸をなすシャフト２０１と、略１８０°の角度範囲内に３つの腕状部２０２，２０３，２０４を持つ永久磁石から成るロータ２０５と、３つの腕状部２０２，２０３，２０４それぞれを引きつける磁場を発生するＥ字形の３極のステータ２０６と、ステータ２０６のうちの中央のコア２０７に巻かれたコイル２０８と、ロータ２０５の回転軸であるシャフト２０１に固定または連結されたハンマー２０９とを備えている。上記シャフト２０１とロータ２０５とステータ２０６とコイル２０８によってロータリーソレノイドを構成し、発射用ソレノイドを形成している。なお、３つの腕状部のそれぞれの成す角度は、好ましくは、略９０°である。
【００２８】
ロータ２０５の３つの腕状部２０２，２０３，２０４のうち、中央の腕状部２０３を挟む２つの腕状部２０２，２０４の端部は、同じ極性（例えばＳ極）を持ち、中央の腕状部２０３の端部は、２つの腕状部２０２，２０４の端部の持つ極性とは異なる極性（例えばＮ極）を持つ。このような、永久磁石のロータ２０５は、例えば、ロータを構成する鉄などの強磁性体のキュリー点以上に加熱し、２つの腕状部２０２，２０４の端部が同じ極性（例えばＳ極）、中央の腕状部２０３の端部が２つの腕状部２０２，２０４の端部の持つ極性とは異なる極性（例えばＮ極）になるように磁力をかけたまま室温に冷却することによって得られる。磁力は、例えば、ロータの３つの腕状部２０２，２０３，２０４のそれぞれにコイルを巻いてそれぞれのコイルに電圧を印加することによって得られる。
【００２９】
シャフト２０１には、Ｄカット２１０が施されており、シャフト２０１に取り付けるハンマー２０９に施されたＤカット２１１と嵌合させる。また、Ｄカット２１２は、ロータ２０５に施されたＤカット２１３と嵌合させる。
【００３０】
ステータ２０６は、コア２０７と、コア２０７の上方にヨーク２１４、コア２０７の下方にヨーク２１５を備えており、それぞれロータ２０５に対向する平面視円弧状の磁極面２０７ｃ、２１４ｃ、２１５ｃを有する磁極部と、ヨーク２１４と２１５とコア２０７とを連結するステータアーム部２１６とを備えている。コア２０７の幅は、ヨーク２１４とヨーク２１５の幅の略２倍である。コア２０７は、略角柱状に形成され、コイル２０８を巻回したボビン２１７にコア２０７を挿入することによりコイル２０８が巻装される。ボビン２１７の一方のフランジには端子部２１８が形成され、端子部２１８の先端には、遊技盤１７に接続したときにコイル２０８に給電するためのコネクタ２１８ｃが設けられている。ステータ２０６は、コア２０７とヨーク２１４，２１５の長さ方向が略水平方向になるように設置される。
【００３１】
ステータ２０６は、軟磁性材料である鋼板（例えば、冷間圧延鋼板（ＳＰＣ），電気亜鉛メッキ鋼板（ＳＥＣ）、ケイ素鋼板などの電磁鋼板）をそれぞれ所定形状に打ち抜き、所定枚数を積層して構成されている。
【００３２】
ロータ２０５は、ステータ２０６のヨーク２１４の磁極面２１４ｃとヨーク２１５の磁極面２１５ｃとコア２０７の磁極面２０７ｃとの間に所定の空隙（例えば、０．３ｍｍ）を有しつつ、玉軸受２２１，２２２，２２３にて回動可能に軸支されている。玉軸受２２１、２２２は、それぞれ非磁性材（例えば、アルミ合金）から形成される軸受ホルダー２２４，２２５の開口２２６，２２７に圧入される。また、玉軸受２２３は、プレート２２８の開口２２９に圧入される。さらに、ステータ２０６のヨーク２１４の孔２３０，２３１及びヨーク２１５の孔２３２，２３３には、非磁性材（例えば、真鍮、オーステナイト系ステンレス鋼）からなるピン２３４，２３５，２３６，２３７が、それぞれ圧入により取り付けられており、これらのピン２３４，２３５，２３６，２３７は、蓋２４０とプレート２２８を取り付ける際に、その両端がぞれぞれの蓋２４０の孔とプレート２２８の孔に位置決めされることにより、蓋２４０とプレート２２８の軸線を合わせるための位置決め用として用いられる。この蓋２４０は、合成樹脂（例えば、プラスチック）を素材として加工されており、着脱片２７０，２８０が一体的に形成されている。この着脱片２７０，２８０は、弾性的に撓み変形させることが可能となっており、それぞれ先端部分に係止部２７１，２８１が設けられている。係止部２７１，２８１は、発射装置２００を遊技盤保持枠６に装着する（取り付ける）際に、遊技盤保持枠６に設けられた固定片４０１，４１１にそれぞれ係止する（詳細は後述する）。また、玉軸受２２１とロータ２０５の間には、予圧を付与するためのコイルばね２４１，２４２が設けられている。
【００３３】
ハンマー２０９には、打球部２１９及びストッパ部２２０が取り付けられる。ロータ２０５の回転により打球部２１９が遊技球を打球することにより遊技球が発射される。またストッパ部は、磁性体で構成されており、ハンマー２０９が遊技球を打球する打球位置から待機位置（初期位置）に戻る際の反動力を生じさせるための重りとしての機能を有している。
【００３４】
プレート２２８には、ボルト２４３，２４４により、カバー２４５及びガイド２４７が取り付けられる。ガイド２４７には、発射レール２４７Ａが形成されており、ハンマー２０９が打球した遊技球は、この発射レール２４７Ａから誘導レール２２に向けて発射される。ガイド２４７の端部２４８には、ストッパ２４９が取り付けられ、端部２５０には、磁石２５１が取り付けられている。ハンマー２０９が待機位置に戻るときには、この磁石２５１からの磁力がハンマー２０９のストッパ部２２０に働くことにより、ハンマー２０９の待機位置への戻りを早くすることができる。また、ハンマー２０９に通したシャフト２０１の端部は、ナット２５２で固定することにより、ハンマー２０９がシャフト２０１に固定される。さらに、プレート２２８には、カバー２５３がボルト２５４，２５５，２５６により固定される。プレート２２８に設けられたボス２５８にはゴム等の弾性体からなるリング形状のストッパ２６０がボルト２５６により固定される。また、蓋２４０は、ボルト２６２，２６３によってプレート２２８に取り付けられる。ハンマー２０９の打球部２１９がストッパ２６０に当接してハンマー２０９が待機位置にて停止する。
【００３５】
発射装置２００は、図５（ａ）及び図５（ｂ）に示すように、遊技盤保持枠６に固定して取り付けられる。遊技盤保持枠６には、挿入孔４００が形成されており、この挿入孔４００は発射装置２００を挿入させるのに十分な程度の形状、大きさを有している。すなわち、挿入孔４００は、発射装置２００を挿入したとき、図５（ｂ）に示すように、特に蓋２４０が組み付けられた部分がそのまま収まる程度の形状、大きさを有するように形成されている。なお、「そのまま収まる」とは、発射装置２００を挿入孔４００に向けて平行に移動させたときに、この平行状態を崩さずに挿入孔４００に嵌まる（嵌まりの程度は問わない、例えば、緩くてもよい）ことを意味する。
【００３６】
このようにして、挿入孔４００に挿入された発射装置２００は、ビス等により固定されることで、遊技盤保持枠６に固定して取り付けられることとなる。具体的な手順としては、
（１）まず、発射装置２００を、挿入孔４００に挿入する。そして、着脱片２７０，２８０が、挿入孔４００内に突設された固定片４０１，４１１に係止することにより、発射装置２００が遊技盤保持枠６に「仮止め」された状態となる。この固定片４０１，４１１は、挿入孔４００内であって、発射装置２００を挿入孔４００内に挿入したときに着脱片２７０，２８０とそれぞれ当接する位置に突起形状を成すように設けられている。
（２）そして、仮止めされた発射装置２００を、ビス５００，５０１，５０２，５０３により遊技盤保持枠６に固定する。これにより、発射装置２００が遊技盤保持枠６に「本止め」された状態となる。
このように、上記（１）「仮止め」及び上記（２）「本止め」という手順を経て発射装置２００が遊技盤保持枠６に固定して装着される（固定して取り付けられる）ことになる。以下では、発射装置２００を遊技盤保持枠６に装着する際の、着脱片２７０，２８０（係止部２７１，２８１）及び固定片４０１，４１１との関係について、図６〜図８を参照しつつ説明する。
【００３７】
図６（ａ）は、発射装置２００が遊技盤保持枠６に装着された状態にあるときの断面図であり、図６（ｂ）は、図６（ａ）における係止部２７１及び固定片４０１の断面部分を拡大した斜視図である。また、図７は、発射装置２００が遊技盤保持枠６に装着されていない状態での係止部２７１及び固定片４０１について説明する図（断面図）であり、図８は、発射装置２００を遊技盤保持枠６に装着させるまでの係止部２７１及び固定片４０１について説明する図（断面図）である。
【００３８】
図７は、係止部２７１と、固定片４０１を示している。係止部２７１には、第１傾斜面２７２、水平面２７３及び第２傾斜面２７４が形成されている。水平面２７３は、固定片４０１の底面４０２に対して平行な面である。第１傾斜面２７２は、固定片４０１の側面４０３に対して固定片４０１側に角度αの傾きを有している。言い換えれば、固定片４０１の底面４０２の面する側（底面４０２の下方側）に向かって傾斜している。第２傾斜面２７４は、側面４０３に対して固定片４０１とは反対側に角度βの傾きを有している。なお、図中において、底面４０２の延長線上をＸ軸（点線で示す）とし、側面４０３の延長線上をＹ軸（点線で示す）として補助線を付している。また、直線Ｙ１，Ｙ２は、Ｙ軸と平行な直線であり、角度α，βを表すための補助線である。また、上記角度α，角度βは、少なくとも、０度＜α，β＜９０度に設定されている。なお、角度α，βについては、α＝βまたは、α≠βのどちらであってもよい。
【００３９】
発射装置２００を遊技盤保持枠６に装着させようとするときには、図８（ａ）に示すように、係止部２７１には固定片４０１に向かう押圧力（図中、白抜矢印で示す）が加えられる。なお、この押圧力は作業者等が、発射装置２００を遊技盤保持枠６に向けて近づけるときの力のことをいう。なお、この押圧力の向かう方向を装着方向という。
【００４０】
そして、上記押圧力により、係止部２７１（詳細には第１傾斜面２７２）が固定片４０１の端部Ａに当接する（図８（ｂ）参照）。
【００４１】
次いで、図８（ｂ）から図８（ｃ）に示すように、係止部２７１が固定片４０１の下方側に撓みながら、第１傾斜面２７２に沿って装着方向（固定片４０１側）に移動する。
【００４２】
そして、図８（ｃ）から図８（ｄ）に示すように、頂点Ｓ（第１傾斜面２７２と水平面２７３とが接する点）が固定片４０１の端部Ａを超えて装着方向にさらに移動すると、次に端部Ａは水平面２７３に当接し、係止部２７１はこの水平面２７３に沿って装着方向に移動する。そして、端部Ａが頂点Ｍ（水平面２７３と第２傾斜面２７４とが接する点）を超えて装着方向に移動すると、今度はこの頂点Ｍが底面４０２に当接した状態で装着方向に移動する。なお、このときも、図８（ｄ）に示すように、係止部２７１は固定片４０１の下方側に撓んだ状態で移動する。
【００４３】
このようにして、頂点Ｍが底面４０２に当接した状態で装着方向（固定片４０１側）を移動していき、この頂点Ｍが固定片４０１の端部Ｂを超えて装着方向にさらに移動すると、今度は、端部Ｂが第２傾斜面２７４に当接した状態となる。すると、係止部２７１には固定片４０１の下方側に撓んだ状態を戻そうとする反動力が作用することとなるため、端部Ｂが第２傾斜面２７４に当接した状態で第２傾斜面２７４に沿って係止部２７１が固定片４０１の上方側に上昇するように移動する。そして、第２傾斜面２７４の終点Ｎと端部Ｂが当接した時点で係止部２７１が固定片４０１に係止した状態となる（図８（ｅ）参照）。
【００４４】
図８（ａ）から図８（ｅ）に示したように、本実施形態では、係止部２７１に角度αを有する第１傾斜面２７２を設けることにより、係止部２７１を固定片４０１に当接させたときに、係止部２７１に撓みを持たせながら固定片４０１に係止させることができる。
【００４５】
次に、遊技盤保持枠６に装着された発射装置２００を装脱する（取り外す）ときの手順について説明する。なお、発射装置２００の装脱が行われる場合とは、例えば、発射装置２００に故障などの不具合が発生して、発射装置２００自体を修理や交換するような場合が該当する。
【００４６】
発射装置２００が遊技盤保持枠６に装着された状態から、発射装置２００を装脱させようとするときには、図８（ｆ）に示すように、係止部２７１を固定片４０１から引き離そうとする力（引っ張り力、図中、黒塗り矢印で示す）が働く。なお、この引っ張り力は作業者等が、発射装置２００を遊技盤保持枠６から取り外そうとするときの力のことをいう。なお、この引っ張り力の向かう方向を装脱方向という。
【００４７】
そして、上記引っ張り力により、係止部２７１は、第２傾斜面２７４の終点Ｎから頂点Ｍに向けて固定片４０１の端部Ｂが当接した状態で装脱方向（固定片４０１とは反対側）に移動する（図８（ｆ））。
【００４８】
このようにして、係止部２７１は、端部Ｂが第２傾斜面２７４に当接した状態で装脱方向に移動していき、第２傾斜面２７４に当接している端部Ｂが頂点Ｍを超えると、図８（ｄ）で説明したように、今度は頂点Ｍが底面４０２に当接した状態となる。  以後は、図８（ｄ）→図８（ｃ）→図８（ｂ）というように、装着のときとは反対の動作をすることになる。これにより、発射装置２００が遊技盤保持枠６から装脱された状態（図８（ａ）参照）となる。
【００４９】
図８（ｆ）に示したように、本実施形態では、係止部２７１に角度βを有する第２傾斜面２７４を設けることにより、固定片４０１に係止部２７１が係止した状態を解除するときに、上記引っ張り力によって無理なく係止部２７１に撓みを持たせながら固定片４０１に係止した状態を解除することができる。
【００５０】
なお、特に図示はしないが、着脱片２８０の係止部２８１にも、第１傾斜面２７２、水平面２７３、第２傾斜面２７４に該当する傾斜面及び水平面が設けられている。このため、係止部２８１及び固定片４１１についても、上記で説明した係止部２７１及び固定片４０１と同様の手順で係止されるものであるため、説明は省略する。
【００５１】
このように、本実施形態によれば、係止部２７１に角度αを有する第１傾斜面２７２が設けられることから、係止部２７１を固定片４０１に係止しやすくすることができる。また、係止部２７１には角度βを有する第２傾斜面２７４が設けられることから、固定片４０１に係止部２７１が係止した状態を容易に解除することができる。さらには、係止部２７１に第１傾斜面２７２，第２傾斜面２７４及び水平面２７３が形成されていることにより、係止部２７１を固定片４０１に係止させるときに撓みを生じさせて、この撓みを利用して係止部２７１を固定片４０１に係止させることができる。したがって、発射装置２００を遊技盤保持枠６に仮止めしたときに、この発射装置２００が仮止めした位置からずれてしまうことがなく安定して取り付けることができる。
よって、従来の発射装置の取り付けに要する手順における、（手順１）発射装置を遊技機側に取り付ける位置を決める（位置決め）、（手順２）上記位置決めしたものがずれないようにビス等で仮に固定する（仮止め）、等を行う必要がなくなるため、発射装置２００を遊技機１に取り付ける際の作業時間を短縮することができる。
【００５２】
また、本実施形態によれば、係止部２７１に角度βを有する第２傾斜面２７４を設けたことにより、発射装置２００を遊技盤保持枠６から装脱しようとしたときに、係止部２７１に撓みを生じさせて、固定片４０１に係止部２７１が係止した状態を解除することができる。したがって、発射装置２００の修理や交換に係る作業により、発射装置２００を遊技盤保持枠６から装脱する際の作業時間の短縮を図ることができる。
【００５３】
なお、本実施形態における着脱片２７０，２８０及び係止部２７１，２８１が、本発明の係止手段、係合誘導部、解除誘導部を構成する。
なお、本実施形態における底面４０２が、本発明の固定片の終端を構成する。
【００５４】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【符号の説明】
【００５５】
１        遊技機
６        遊技盤保持枠
１０      操作ハンドル
１７      遊技盤
２００    発射装置
２４０    蓋
２５３    カバー
２７０    着脱片
２７１    係止部
２７２    第１傾斜面
２７４    第２傾斜面
２８０    着脱片
２８１    係止部
４００    挿入孔
４０１，４１１    固定片
【図１】
0005820581.tif 000002
【図２】
0005820581.tif 000003
【図３】
0005820581.tif 000004
【図４】
0005820581.tif 000005
【図５】
0005820581.tif 000006
【図６】
0005820581.tif 000007
【図７】
0005820581.tif 000008
【図８】
0005820581.tif 000009